(57)【要約】【課題】スピーカー装置に液体を注ぎ込んでその機能を一時的に麻痺させる手口の不正行為を有効に防止可能な遊技機を提供する。【解決手段】前後方向に開口する四角い枠状又は前面が開口する箱状の外枠２と、該外枠２の前面を覆って遊技者に対向するように装着された前面部材３と、該前面部材３に取付けられて少なくとも異常を知らせる警報音を発し得るように設定されたスピーカー装置４ａとを備えた遊技機において、前面部材３は、外部からスピーカー装置４ａ内に入った液体を機前側に排出する液抜き通路２２と、該液抜き通路２２の途中に設けられて上流側から入った液体を貯留すると共にオーバーフロー分を液抜き通路２２の下流側に流すようにした貯留部２３と、を備えてなることを特徴とする。【選択図】        図３
2015051076.tif 000002
【特許請求の範囲】
【請求項１】
前後方向に開口する四角い枠状又は前面が開口する箱状の外枠と、
該外枠の前面を覆って遊技者に対向するように装着された前面部材と、
該前面部材に取り付けられて少なくとも異常を知らせる警報音を発し得るように設定されたスピーカー装置と、を備えた遊技機において、
前記前面部材は、
外部から前記スピーカー装置内に入った液体を機前側に排出する液抜き通路と、
該液抜き通路の途中に設けられて該液抜き通路の上流側から入った液体を貯留すると共にオーバーフロー分を前記液抜き通路の下流側に流すようにした貯留部と、を備えてなることを特徴とする遊技機。
【請求項２】
前記前面部材は、その前面の下側に、遊技に使用する遊技媒体を受ける皿部が突設されており、その皿部の下の領域に向けて前記液体が放出される位置に前記液抜き通路の放出口を配置したものであることを特徴とする請求項１記載の遊技機。
【発明の詳細な説明】
【技術分野】
【０００１】
本発明は、少なくとも異常時に警報音を発するように設定されたスピーカー装置を有する遊技機に関する。
【背景技術】
【０００２】
従来より、前後方向に開口する四角い枠状の外枠と、該外枠の前面を覆って遊技者に対向するように装着された前面部材と、該前面部材に取り付けられて遊技上の演出効果音を発しつつ異常時には警報音を発し得るように設定されたスピーカー装置と、を備えた遊技機がある（例えば、特許文献１参照。）。
【先行技術文献】
【特許文献】
【０００３】
【特許文献１】特開２００９−５０４７０号公報（段落０００５、図１）
【発明の概要】
【発明が解決しようとする課題】
【０００４】
特許文献１に記載されているように、不正行為者が、不正を行う上で邪魔なスピーカー装置を破壊することが行われている。
しかしながら、スピーカー装置を完全に破壊すると、被害を受けた遊技機であることが直ぐに判って不正行為者が特定されやすくなるため、近年では、スピーカー装置に大量の液体（例えば「水」）を注ぎ込んで一時的に麻痺（消音）させる手口が増加しつつある。
【０００５】
具体的には、スピーカー装置の前面を覆う孔開きカバー体の下半部に粘着テープ等を貼ってダム状に塞ぎ、そこに液体を注ぎ込んでダム湖の如くに液体を溜め、そうして振動板（コーン）の振動を抑制して一時的に麻痺させるのである。この場合、不正を行った後に粘着テープを剥がせば、孔開きカバー体から液体が外部に抜けてスピーカー装置の機能が回復するため、遊技機が被害を受けても直ぐには判らない。
【０００６】
本発明は、上記に鑑みなされたもので、その目的は、スピーカー装置に液体を注ぎ込んでその機能を一時的に麻痺させる手口の不正行為を有効に防止可能な遊技機を提供することにある。
【課題を解決するための手段】
【０００７】
請求項１に記載されたように、前後方向に開口する四角い枠状又は前面が開口する箱状の外枠と、
該外枠の前面を覆って遊技者に対向するように装着された前面部材と、
該前面部材に取り付けられて少なくとも異常を知らせる警報音を発し得るように設定されたスピーカー装置と、を備えた遊技機において、
前記前面部材は、
外部から前記スピーカー装置内に入った液体を機前側に排出する液抜き通路と、
該液抜き通路の途中に設けられて該液抜き通路の上流側から入った液体を貯留すると共にオーバーフロー分を前記液抜き通路の下流側に流すようにした貯留部と、を備えてなる遊技機を提供する。
【０００８】
また、請求項２に記載したように、前記前面部材は、その前面の下側に、遊技に使用する遊技媒体を受ける皿部が突設されており、その皿部の下の領域に向けて前記液体が放出される位置に前記液抜き通路の放出口を配置したものである請求項１記載の遊技機を提供する。
【発明の効果】
【０００９】
本発明の遊技機によれば、不正を行う上で邪魔なスピーカー装置を一時的に麻痺させるべく、該スピーカー装置に液体を注ぎ込んでも、その液体は溜まることなく液抜き通路に排出されるため、スピーカー装置の振動板は液体に浸からない。したがって不正による異常が検出された場合には、スピーカー装置から警報音を発して周囲に異常を知らせることができる。
一方、スピーカー装置に誤って飲料を零した場合、その飲料は液抜き通路を通って貯留部に溜まる。零れた飲料の量は、もともと故意ではないため限定的であり、したがってその殆どが貯留部に収まる。よって、スピーカー装置に飲料が零れても遊技は正常に継続可能であり、遊技客がいないとき、或は営業を終了したとき、というように適当なタイミングを見計らって零れた飲料の処理を行うことができる。
【００１０】
また、請求項２に記載の遊技機によれば、前面部材の皿部の下の領域に向けてスピーカー装置からの液体が放出されるため、それが周囲に広がって目立つようになる。通常、不正行為者は、心理的に目立つことを嫌うため、不正を断念してその場から立ち去る可能性が高い。特に、皿部の下の領域に液体が放出されてそこから広がる場合には、皿部の奥の放出口を塞いで止めることが難しいため、より高い防犯効果を得ることができる。なお、不正のために注ぎ込まれた液体ももちろん前記貯留部に溜まるが、そのような不正のための液体の注入量は多いため、貯留部からオーバーフローして機前に放出される。
【図面の簡単な説明】
【００１１】
【図１】遊技機の斜視図である。
【図２】遊技機の下半部を示す正面図である。
【図３】図２のＸ−Ｘ線断面図である。
【図４】図３のＺ部の拡大図である。
【発明を実施するための形態】
【００１２】
以下に本発明の実施の形態を遊技機たるスロットマシンについて図面を参照しつつ説明する。
スロットマシン１は、図１に示したように、前面が開口する箱状の外枠（一般に「筐体」ともいう。）２と、該外枠２の前面を開閉可能な状態に覆って遊技者に対向するように装着された前面部材３と、該前面部材３に取り付けられて、遊技上の演出効果音と、不正の疑いや故障等の異常を知らせる警報音と、を発し得るように設定されたスピーカー装置４ａ，４ｂと、を備えている。
【００１３】
［外枠］
前記外枠２は、前面のみが開口する箱状であって、その内部に、複数（実施形態は３つ）のリール５ａ，５ｂ，５ｃをそれぞれ回転・停止させて遊技の当たり外れを図柄の組合せ態様で表示する図柄変動表示装置５と、該図柄変動表示装置５の上方に配置された画像表示装置６と、図示しないが、遊技用のメイン基板と、遊技媒体たるメダルを遊技の景品として放出するメダル放出装置と、電源装置等が設けられている。
【００１４】
［前面部材］
前記前面部材３は、前面の下側にバケット状に突設されて前記メダル放出装置から放出されるメダルを受ける幅広の皿部７が設けられている。
また、前面部材３の前面の上側には、前記画像表示装置６を覆う透明なケース状の画像カバー部８と、その下の図柄変動表示装置５を覆う透明な表示窓部９が設けられている。
【００１５】
また、前面部材３の前面のほぼ中央には、メダル投入用の投入口１０と、外枠２内の前記メイン基板のメモリーにデータとして蓄えられているメダルから１枚のみの投入（引き落とし）を指示する１枚投入ボタン１１と、同じく１回のゲームで使用可能な最高枚数（例えば３枚）の投入を指示するＭＡＸ投入ボタン１２と、機内のメダルセレクタ（図示せず）の中に詰まったメダルを皿部７に戻すためのメダル返却ボタン１３と、前記図柄変動表示装置５を作動させる始動レバー１４と、図柄変動表示装置５の各リール５ａ，５ｂ，５ｃを停止させる３個のリール停止ボタン１５ａ，１５ｂ，１５ｃと、を備えた操作パネル１６が設けられている。
そしてさらに操作パネル１６には、その中央にボタン装着部１７が設けられていて、そのボタン装着部１７に遊技演出用の押しボタン式入力装置１８が装着されている。
【００１６】
［前面部材−スピーカー装置］
前面部材３の前面の前記操作パネル１６と前記皿部７の間には、左右両横に斜め上向きに装着された２つのスピーカー装置４ａ，４ｂと、皿部７のメダル放出口７ａと横並びの位置に装着された１つのスピーカー装置４ｃと、が取り付けられている。
【００１７】
これらのスピーカー装置４ａ〜４ｃは、図３、図４に示したように、フレーム１９の中にコーン形の振動板２０を設けると共にその前面を孔開きカバー体２１で覆った周知のコーン型スピーカーであって、上に位置する２つのスピーカー装置４ａ，４ｂを高音用とし、下に位置する１つのスピーカー装置４ｃを低音用として、全体で遊技上の演出効果音を発するようになっている。
特に、低音用のスピーカー装置４ｃは、メダル放出口７ａと横並びであってその下半部が皿部７の中に入る位置にあり、したがって、スピーカー装置４ｃの重低音で皿部７にある多数のメダルを振動させて、その振動によりメダル同士が触れ合う音をも効果音として利用し得るようになっている。
一方、高音用のスピーカー装置４ａ，４ｂは、スロットマシン１に別途設定された異常検出手段によって異常（前面部材３の開放や、メダル放出装置の異常動作等）が検出された場合に警報音を発するようになっている。
【００１８】
［前面部材−液抜き通路、貯留部］
さらに前面部材３には、外部、すなわち孔開きカバー体２１の前面からスピーカー装置４ａ，４ｂに入った水や飲料などの液体を機前側に排出する液抜き通路２２と、該液抜き通路２２の途中に着脱自在に設けられたカップ状の貯留部２３と、を有する。
前記液抜き通路２２は、図２、図３に示したように、貯留部２３を間に挟んで上流部２２ａと下流部２２ｂに分かれており、その上流部２２ａは、始端部が孔開きカバー体２１とフレーム１９の間に介在させた環状スペーサー２４の液抜き孔２５を介してスピーカー装置４ａ，４ｂに連通する一方、終端部がスピーカー装置４ａ，４ｂの下を通って前記貯留部２３の上端に臨んでいる。
また、液抜き通路２２の下流部２２ｂは、始端部が、貯留部２３の前記上流部２２ａの終端部の下に開設されたオーバーフロー口２６に連通し、終端部が前記皿部７の基端部に沿って横に細長く開設された放出口２７に連通している。
【００１９】
したがって、スピーカー装置４ａ，４ｂの孔開きカバー体２１を通って中に入った液体は、直ぐさま液抜き孔２５を通って液抜き通路２２の上流部２２ａに流れ、そのまま貯留部２３に流下して溜まる。そして、液体の液量が貯留部２３のオーバーフロー口２６を越えると、溢れた液体が液抜き通路２２の下流部２２ｂに入って流下し、放出口２７から皿部７の下の領域に放出される。通常、スロットマシン１の皿部７の下には設置島の長手方向全域に亘って台板２８が張り出しているため、放出口２７から放出された液体の量によっては、台板２８を伝って隣のスロットマシン側にまで拡散し得る。
【００２０】
なお、実施形態では、貯留部２３の底に吸水部材２９が装填されている。該吸水部材２９は、窄んだ状態から膨らんだ状態に変化可能な可変容器２９ａに高吸収性樹脂のような高吸水体を充填してなるものであり、貯留部２３に溜まった液体を吸収して保持することができる。したがって、液体を吸って膨潤した吸水部材２９を乾燥した吸水部材２９に交換するのみで、貯留部２３に溜まった液体を零すことなく簡単に処理することができる。この場合、吸水部材２９の可変容器２９ａは、伸縮性の素材を使ってゴム風船のごとくに膨らみ得る構造にしてもよいし、膨らみを見越した袋形状に形成したものをコンパクトに折り畳んでおくようにしてもよい。
また、実施形態では、図示しないが、左右のスピーカー装置４ａ，４ｂに対応する液抜き通路２２の途中又は貯留部２３の例えば底面や内壁面に液体の有無を検出する液体検出センサーが設置されている。
【００２１】
次に、警報音を発し得るスピーカー装置４ａ，４ｂに故意に液体が注ぎ込まれた場合と、誤って飲料が零れた場合についてそれぞれ説明する。
【００２２】
先ず、不正を行う上で邪魔なスピーカー装置４ａ，４ｂを一時的に麻痺させるべく、不正行為者は、両方のスピーカー装置４ａ，４ｂの孔開きカバー体２１の下半部を粘着テープ等で塞ぎつつ孔開きカバー体２１の上半部から水などの液体を大量に注ぎ込む。
しかし、その液体は、直ぐさま液抜き孔２５を通って液抜き通路２２の上流部２２ａに流れ、貯留部２３に流下して溜まる。なお、実施形態では前記のように貯留部２３の底に吸水部材２９が装填されているため、溜まった液体は膨潤した吸水部材２９によって保持される。
そして、液体がさらに注ぎ込まれてその液量が貯留部２３のオーバーフロー口２６を越えると、溢れた液体が液抜き通路２２の下流部２２ｂに入って流下し、放出口２７から皿部７の下の領域に放出される。
よって、スピーカー装置４ａ，４ｂにどれだけ液体を注ぎ込んでも、そのまま皿部７の下の領域に放出されてスピーカー装置４ａ，４ｂの内部に溜まらないため、スピーカー装置４ａ，４ｂが機能的に麻痺することはなく、それどころか皿部７の下に放出された液体が、設置島の台板２８を伝って隣のスロットマシン側にも拡散するから、周りの遊技者から注目されることとなる。通常、不正行為者は、心理的に目立つことを嫌うため、不正を断念してその場から立ち去る可能性が高く、したがって不正が未然に防止できる。
加えて、前記のように左右のスピーカー装置４ａ，４ｂに対応する液抜き通路２２又は貯留部２３に液体の有無を検出する液体検出センサーが設置されているため、左右のスピーカー装置４ａ，４ｂに対応する液体検出センサーが共に液体を検出したことを異常と判断するように予め設定しておけば、直ぐさまスピーカー装置４ａ，４ｂによって警報音を発することができる。
【００２３】
次に、普通の遊技者が誤って飲料を零した場合について説明する。かかる場合の特徴は、零された対象がどちらか一方のスピーカー装置４ａ又は４ｂに限られることと、飲料の量が限定的であることにある。なぜなら、２つのスピーカー装置４ａ，４ｂは、スロットマシン１の両横にあって両者の距離が十分に開いているため、故意に注ごうとしない限り２つ同時に液体が入るおそれはなく、また、飲料の量も多くてコップ一杯程度だからである。
よって、例えば図２において右側のスピーカー装置４ａに誤って飲料を零した場合には、その飲料が液抜き通路２２の上流部２２ａから貯留部２３に流れて殆どが該貯留部２３に溜まり、吸水部材２９によって吸水される。したがって、スピーカー装置４ａに飲料が零れても遊技は正常に継続可能である。そして、遊技客がいないとき、或は営業を終了したとき、というように適当なタイミングを見計らって吸水部材２９を交換するだけで零れた飲料の処理が簡単且つスピーディに行える。
また、右のスピーカー装置４ａに対応する液体検出センサーのみが作動するため、異常と判断されないから警報音も発せられない。なお、この場合でも、ランプ等を点滅させて貯留部２３に液体があることを従業員に知らせるようにしておけば、前記のような適当なタイミングで零れた飲料の処理を行うことができる。
【００２４】
以上、本発明を実施の形態について説明したが、もちろん本発明は上記実施形態に限定されるものではない。例えば、実施形態では遊技機としてスロットマシン１を例示したがパチンコ機にも同様に適用できる。なお、パチンコ機は、通常、前後方向に開口する四角い枠状の外枠を備えており、また、遊技媒体としてパチンコ球を使用する。
【００２５】
また、実施形態では、最も好ましい形態として貯留部２３に吸水部材２９を装填するようにしたが、かかる吸水部材２９を無くしても実施は可能である。その場合、貯留部２３にキャップを設けておけば、吸水部材２９を装填した場合と同様に、前面部材３を開閉する際の衝撃で溜まった液体が周囲に飛び散るおそれをなくすることができる。
また、実施形態では、警報音を発するスピーカー装置４ａ，４ｂが２つ設けられているが、１つであってもよく、また、その場所も前面部材３の高所であってもよい。
【００２６】
また、貯留部２３に設けた吸水部材２９は、図３に示したようにスピーカー装置４ａ，４ｂの裏側をカバーする後カバー部材３０にも装填するとよい。そうすることにより、もし液体が、スピーカー装置４ａ，４ｂの後側に侵入した場合でも速やかにその液体が吸収されるから、スピーカー装置４ａ，４ｂの裏側の電気部品が液体に浸かる不都合を回避することができる。なお、図３において符合３０ａは、吸水部材２９を出し入れするために後カバー部材３０に設けた開閉蓋である。
【００２７】
その他、請求項２のように、皿部７の下の領域に向けて液体が放出される位置に液抜き通路２２の放出口２７を配置した場合の利益は、液抜き通路２２の途中に貯留部２３を備えない、つまり液抜き通路２２の上流部２２ａと下流部２２ｂが直結されている遊技機であっても享受することができる。
【符号の説明】
【００２８】
１  …スロットマシン（遊技機）
２  …外枠
３  …前面部材
４ａ，４ｂ  …警報音を発し得るスピーカー装置
７  …皿部
２２  …液抜き通路
２３  …貯留部
２７  …放出口
【図１】
2015051076.tif 000003
【図２】
2015051076.tif 000004
【図３】
2015051076.tif 000005
【図４】
2015051076.tif 000006